(57)【要約】【課題】貯蔵室内のトレイを引き出したときの間口を広くして使い勝手を向上するとともに、貯蔵室の内容積を大きくできる冷蔵庫を提供する。【解決手段】冷蔵室と、前記冷蔵室に配置される貯蔵室と、を備えた冷蔵庫において、前記貯蔵室は、外郭部材と、扉体と、引き出し式のトレイと、を備え、前記扉体は、下方の回転軸により、上側が前記トレイに対して手前側へ回転して開放するものであって、前記扉体が鉛直方向に対して所定の角度を超えて回転するのを規制する回転規制手段を有し、前記回転規制手段は、前記扉体と前記トレイとを連結するものである。【選択図】図３
2020118344.tif 000002
【特許請求の範囲】
【請求項１】
冷蔵室と、前記冷蔵室に配置される貯蔵室と、を備えた冷蔵庫において、
前記貯蔵室は、外郭部材と、扉体と、引き出し式のトレイと、を備え、
前記扉体は、下方の回転軸により、上側が前記トレイに対して手前側へ回転して開放するものであって、
前記扉体が鉛直方向に対して所定の角度を超えて回転するのを規制する回転規制手段を有し、
前記回転規制手段は、前記扉体と前記トレイとを連結するものであることを特徴とする冷蔵庫。
【請求項２】
請求項１において、
前記外郭部材と前記トレイとの間に引き込み構造を有し、
前記回転規制手段によって、前記扉体が鉛直方向より後方へ倒れた状態で、前記扉体を後方へ移動させたとき、先に前記扉体の上端が前記外郭部材の前端に当接してから、前記引き込み構造により、前記扉体の下端が後方へ押し付けられることを特徴とする冷蔵庫。
【請求項３】
請求項１において、
前記扉体が全幅にわたってフラットであり、
前記トレイの前側も全幅にわたってフラットであることを特徴とする冷蔵庫。
【発明の詳細な説明】
【技術分野】
【０００１】
本発明は、冷蔵庫に関する。
【背景技術】
【０００２】
従来、冷蔵庫には、冷蔵室内に肉や魚などの生鮮食品を収納するためのチルドルームと称される貯蔵室が種々提案されている。この種のチルドルームは、引き出し式のケースを備え、冷蔵室の最下段の仕切棚の真下に設置されている（例えば、特許文献１及び特許文献２参照）。
【先行技術文献】
【特許文献】
【０００３】
【特許文献１】特開２００５−６９６０１号公報
【特許文献２】特開２００８−３０９４２４号公報
【発明の概要】
【発明が解決しようとする課題】
【０００４】
特許文献１には、天板の前端に枢支されて容器前面の上部開口を開閉自在に覆っており、容器の引き出しおよび押し込み動作に連動して開閉する蓋が開示されている。この構成の場合、容器を引き出したとき開口部に蓋が位置するため、間口が狭くなる。
【０００５】
また、特許文献２には、チルド室ドアの前後の移動に伴って引き出し式のケースが前後に移動すると共に、チルド室の外郭部材の側面の外側にチルド室ドアとのリンク機構を設けることが開示されている。この構成の場合、チルド室の外郭部材の側面と冷蔵室の側面との間に、リンク機構を収納するための空間を確保する必要があり、チルド室の外郭部材の左右側面にデッドスペースが形成され、チルド室の内容積が減少する虞がある。
【０００６】
本発明は、従来の課題を解決するものであり、貯蔵室内のトレイを引き出したときの間口を広くして使い勝手を向上するとともに、貯蔵室の内容積を大きくできる冷蔵庫を提供することを目的とする。
【課題を解決するための手段】
【０００７】
本発明は、冷蔵室と、前記冷蔵室に配置される貯蔵室と、を備えた冷蔵庫において、前記貯蔵室は、外郭部材と、扉体と、引き出し式のトレイと、を備え、前記扉体は、下方の回転軸により、上側が前記トレイに対して手前側へ回転して開放するものであって、前記扉体が鉛直方向に対して所定の角度を超えて回転するのを規制する回転規制手段を有し、前記回転規制手段は、前記扉体と前記トレイとを連結するものである。
【発明の効果】
【０００８】
本発明によれば、引き出し式の貯蔵室の使い勝手を向上するとともに、貯蔵室の内容積を拡大することができる冷蔵庫を提供できる。
【図面の簡単な説明】
【０００９】
【図１】第１実施形態の冷蔵庫を前方から見た斜視図である。
【図２】冷蔵室内部の正面図である。
【図３】トレイを引き出した状態のチルド室の斜視図である。
【図４】外郭部材の斜視図である。
【図５】トレイを下方から見た斜視図である。
【図６】（ａ）は図２のＡ−Ａ断面図であり、外郭部材からトレイを引き出した状態。（ｂ）は（ａ）の状態から、トレイを後方に移動させた状態の断面図。（ｃ）は（ｂ）の状態から更に、トレイを後方に移動させた状態の断面図。（ｄ）はトレイが外郭部材内に収納された状態の断面図。
【図７】（ａ）は図２のＡ−Ａ断面図であり、外郭部材からトレイを引き出した状態。（ｂ）は（ａ）の状態から、トレイを後方に移動させた状態の断面図。（ｃ）はトレイが外郭部材内に収納された状態の断面図。
【発明を実施するための形態】
【００１０】
以下、本発明の実施形態について添付図面を参照して説明する。
【００１１】
（第１実施形態）
図１は、第１実施形態の冷蔵庫を前方から見た斜視図である。なお、図１では、６つの扉を備えた冷蔵庫１を例に挙げて説明しているが、５つ以下、または７つ以上の扉を備えた冷蔵庫に適用することができる。
【００１２】
図１に示すように、第１実施形態の冷蔵庫１は、最上部に冷蔵温度帯（例えば、６℃前後）の冷蔵室２、最下部に冷蔵温度帯（例えば、６℃前後）の野菜室５を備えている。また、冷蔵庫１は、冷蔵室２と野菜室５との間に、これらの両室と断熱的に仕切られた冷凍温度帯（例えば、約−２０℃〜−１８℃の温度帯）の冷凍室である製氷室３ａ，上段冷凍室３ｂ、および下段冷凍室４を備えている。また、冷蔵室２と、製氷室３ａおよび上段冷凍室３ｂとの間は、断熱仕切壁ｋ１（図２参照）により区画されている。なお、図示していないが、下段冷凍室４と野菜室５との間も断熱仕切壁によって区画されている。また、本実施形態では、断熱仕切壁ｋ１が、特許請求の範囲における仕切壁に相当する。
【００１３】
また、冷蔵庫１は、冷蔵室２、製氷室３ａ、上段冷凍室３ｂ（以下、製氷室３ａと上段冷凍室３ｂとをまとめて冷凍室３という場合もある）、下段冷凍室４（以下、冷凍室４という場合もある）および野菜室５の前面開口部を開閉する断熱構成の扉６，７，８，９，１０を備えている。扉６は、観音開き式のものであり、回動式の左扉６ａと右扉６ｂとによって構成されている。また、扉６の庫内側には調味料やドリンク類を収納できるポケット部（図示せず）が上下方向に複数設けられている。扉７，８，９，１０は、前後方向に移動可能な引出し式のものである。扉６〜１０を除く外周筐体部（冷蔵庫本体）は、鋼板製の外箱１１と樹脂製の内箱１２（図２参照）との間に外気との断熱を図るウレタン発泡断熱材および真空断熱材（図示せず）を有して構成されている。
【００１４】
また、冷蔵庫１には、前記の冷凍および冷蔵を行うための冷凍サイクルが設けられている。この冷凍サイクルは、圧縮機，凝縮器，キャピラリチューブ（減圧装置）および冷媒の気化熱を奪い冷却源となる蒸発器を備え、冷媒が、圧縮機、凝縮器、キャピラリチューブ、蒸発器、そして再び圧縮機の順に流れるように構成されている。尚、冷蔵室と冷凍室を独立して冷却する冷凍サイクルを備えていてもよい。
【００１５】
この冷却源となる蒸発器は、冷凍室３，４の後方に設置され、送風ファン（不図示）によって、蒸発器の冷気が、冷凍室３，４に送られる。また、冷気は、冷蔵温度以下になると閉塞する開閉可能なダンパ装置を介して、冷蔵室２および野菜室５に送られる。なお、冷蔵庫１は、冷気が各貯蔵空間を冷却した後に循環する冷気の循環構造を有しており、冷蔵室２、冷凍室３、冷凍室４および野菜室５が、温度センサを用いた制御装置による温度制御によって、所定の温度に維持されている。
【００１６】
図２は、トレイ収納時の冷蔵室内部の正面図、図１６は、トレイ引出し時の冷蔵室内部を示す斜視図である。なお、図２および図１６では、冷蔵室２の扉６を取り外した状態を示している。
【００１７】
図２に示すように、冷蔵庫１の冷蔵室２内には、上下方向に仕切る４段の仕切棚１４ａ，１４ｂ，１４ｃ，１４ｄが上下方向に間隔を空けて設けられている。仕切棚１４ａ〜１４ｄは、いずれもＰＳ（ポリスチレン）などの合成樹脂材料や強化ガラスなどで形成されている。また、下から二段目の仕切棚１４ｃは、左右方向の左側に固定棚１４ｃ１、右側に上下の位置を変更可能な可動棚１４ｃ２が設けられている。なお、本実施形態での最下段の仕切棚１４ｄが、特許請求の範囲に記載の棚に相当する。また、仕切棚１４ｄは、強化ガラスとPP(ポリプロピレン)の枠で形成され、ガラスの下面を塗装することで、チルドルームを上から見えないようにしている。
【００１８】
また、冷蔵室２内には、最下段の仕切棚１４ｄと冷蔵室２の底面を構成する断熱仕切壁ｋ１との間の空間に、チルド室３０と、このチルド室３０の左端に給水タンク４０が左右に並んで設けられている。また、チルド室３０は、仕切棚１４ｄの真下に設置されている。また、チルド室３０は、冷蔵室２の最下部に位置し、間接冷却によってチルド室３０の内部が冷却される。
【００１９】
また、冷蔵室２内の背面には、上下方向に延在する冷気ダクト２３が設けられている。この冷気ダクト２３には、最上段の仕切棚１４ａ上に冷気を吹き出す吹出口２３ａ、仕切棚１４ｂ上に冷気を吹き出す吹出口２３ｂ、仕切棚１４ｃ上に冷気を吹き出す吹出口２３ｃ、仕切棚１４ｄ上に冷気を吹き出す吹出口２３ｄなどが設けられている。また、冷気ダクト２３は、蒸発器（不図示）と冷蔵用のダンパ（不図示）を介して連通している。
【００２０】
＜チルド室の説明＞
図３，図４，図５を用いて、冷蔵室内に設けられた貯蔵室（チルド室３０）の構成を説明する。
【００２１】
図３は、チルド室３０の開放状態を示す斜視図である。図４は、チルド室３０の外郭部材３３を正面側から見たときの斜視図である。図５は、チルド室３０のトレイ３１を底側から見たときの斜視図である
図３に示すように、チルド室３０は、外郭部材３３、トレイ３１、扉体３２、回転規制手段１１０を組み合わせて構成されている。なお、トレイ３１、扉体３２の本体３２ａは、いずれもＰＳ（ポリスチレン）などの透明な合成樹脂材料で形成され、外郭部材３３は、ＡＢＳ（アクリロニトリルブタジエンスチレン共重合体）樹脂で形成され、回転規制手段１１０は耐摩耗性のあるＰＯＭ（ポリアセタール）樹脂で形成されている。
【００２２】
トレイ３１は、前板３１ａ、後板３１ｂ、左右の側板３１ｃ，３１ｄおよび底板３１ｅを組み合わせて構成され、上面が開放する四角箱形状を呈している。
【００２３】
扉体３２の上部の正面側には、前面に手を下側から挿入して掛けてトレイ３１を前後方向に移動させる取っ手３２ｃが形成されている。この取っ手３２ｃは、トレイ３１の左右の幅方向に沿って形成され、下方から使用者が指を掛けられるように凹部が形成されている。
【００２４】
取っ手３２ｃの前面には、意匠面を形成するステンレス等の金属製の板３２ｄが設けられている。この板３２ｄ及び取っ手３２ｃが設けられる扉体３２の表面側は、全幅にわたってフラットである。
【００２５】
トレイ３１の前板３１ａは、後板３１ｂよりも高さが低く形成されているとともに、手前側上方が広くなるように傾斜が設けられている（後板３１ｂ、側板３１ｃ，３１ｄよりも傾斜角度が大きい）。側板３１ｃ，３１ｄの上縁は、後側が後板３１ｂと同じ高さに形成された水平部３１ｃ３，３１ｄ３と、前側が下るようにして傾斜する傾斜部３１ｃ１，３１ｄ１と、を有している。また、側板３１ｃ，３１ｄの後端上部には、凸部（図示せず）が上方に突出して形成されている。このように、扉体３２がほぼ全幅にわたってフラットなだけでなく、トレイ３１の前板３１ａも前後方向への凹凸が殆どないフラットな形状となっているため、食品の収納が容易となっている。
【００２６】
扉体３２は、トレイ３１と略同じ幅からなる本体３２ａと、この本体３２ａの左右両側の下部に配置され本体３２ａを回動自在に支持する軸部３２ｂ１と、本体３２ａの略中央の下部に配置され本体３２ａを回動自在に支持する軸部３２ｂ２とを有している。トレイ３１の前側に形成される軸受孔（図示せず）に、軸部３２ｂ１及び軸部３２ｂ２が回動可能に挿入される。上記軸受孔には耐摩耗性のあるＰＯＭ樹脂が設けられる。
【００２７】
また、本体３２ａの前面の左右端部及び下端部を覆うように構成された不透明な樹脂製の枠部３２ｅが設けられる。このとき、枠部３２ｅの後方投影上に軸部３２ｂ１及び３２ｂ２が位置する。これにより、使用者から軸部３２ｂ１及び３２ｂ２を見え難くでき、意匠性を向上できる。
【００２８】
また、本体３２ａの前面下部側から、取っ手３２ｃの後側にかけて傾斜面が設けられる。このように、透明樹脂からなる本体３２ａの前面に、使用者側に向かって低くなる傾斜面（上端が奥側、下端が手前側）を設けることで、チルド室３０内の視認性を向上できる。この傾斜面は、扉体３２の前後方向の厚み寸法内に設けられているため、扉体３２を薄くできる。
【００２９】
透明樹脂からなる本体３２ａの前面傾斜面の傷付きを防止するために、例えば粘着材のないPETフィルムを３２ａと３２ｅとではさむ(図5の３２ｈ部)ことで設置することも考えられる。
【００３０】
尚、本体３２ａに設けられる板３２ｄ及び枠部３２ｅの前面側である３２ｄ１及び３２ｅ１は、略平面からなるとともに、扉体３２の閉鎖時は略鉛直面となる。これら前面３２ｄ１及び３２ｅ１と仕切棚１４ｄ（図２参照）の前端部とは、前後方向の位置が略同一となっている。扉体３２の前面は、取っ手３２ｃ及び枠部３２ｅの前面（鉛直面）よりも手前側に突出する部分がないフラットな面からなる構成とした。これにより、扉６ａ，６ｂの庫内側に設けられるポケット部（図示せず）と接触せず且つ距離を縮めることができ、チルド室３０の奥行き寸法を大きくできる、若しくは、上記ポケット部の奥行き寸法を大きくできる。
【００３１】
また、扉体３２の下端部の左右の幅方向に沿って、縦断面が略円弧形状である曲面部を有する。これにより、扉体３２の引き出し時や回動する際、扉体３２の下端部と断熱仕切ｋ１の上面とが接触したときに、摺動性が低下することを抑制できる。
【００３２】
＜回転規制手段の説明＞
図３に示すように、回転規制手段１１０は、扉体３２の内側面３２ｆであって上下方向の中央よりも下部に設けられ、トレイ３１と扉体３２とを連結する。これにより、扉体３２は後方向よりも前方向に大きく倒れる（具体的には、前方向には約４５度まで倒れることを許容し、後方向には約４度まで倒れることを許容している）。
【００３３】
このように、トレイ３１を前方に引き出したとき、扉体３２を水平位置まで倒さない構成としたため、使用者はトレイ３１を後方に移動させるときに取っ手３２ｃに手を入れ易く、操作性を向上できる。また、扉６ａ，６ｂの庫内側に設けられる飲料品や調味料等を収納するためのポケット部（図示せず）と扉体３２とが接触することを抑制できる。
【００３４】
また、図３に示すようにトレイ３１を引き出した状態において、上述のとおり扉体３２が前方向に倒れていることに加え、トレイ３１の側板３１ｃ，３１ｄの夫々に傾斜部３１ｃ１，３１ｄ１が形成され、前板３１ａが前傾している。また、外郭部材３３の開口縁３３ａの左右には前後方向に傾斜が形成され、下部よりも上部が後方に位置する。
【００３５】
このように、下端側が軸固定された扉体３２を前方に約４５度倒すことができる構造に加え、引き出し時のトレイ３１の開口部の間口を広くしたことで、トレイ３１を必要以上に引き出さなくても食品の出し入れを行うことができる。
【００３６】
また、回転規制手段１１０には、略円弧形状の袋状からなる回転規制部１１０ａが設けられ、側板３１ｃ，３１ｄの前端の上部に設けられた軸部（図示せず）が挿入される。この軸部は、回転規制部１１０ａの内壁に沿って摺動可能であり、回転規制部１１０ａに設けられた規制片１１０ｂによって摺動抵抗が加えられる。規制片１１０ｂは板ばね状であり、回転規制部１１０ａの側壁に一体成形される。これにより、扉体３２を一定の傾斜角度で静止できるとともに、使用者が扉体３２を回動したときに一定の角度で摺動抵抗が加わることで、程好い操作感（クリック感）を与えることができる。尚、本実施の形態において、上記一定の傾斜角度とは扉体３２が鉛直位置として説明する。
【００３７】
また、回転規制部１１０ａにより軸部を部分的（上部及び側部）に覆う構成のため、食品の汁等が軸部に付着することを抑制できる。
【００３８】
尚、本実施の形態において、規制片１１０ｂは板ばね状としたがこの構成に限らず、扉体３２が一定の傾斜角度のときに摺動抵抗を加えられる構成であればよい。
【００３９】
回転規制手段１１０の取り付け位置を、扉体３２の上下方向の下側で、且つ、トレイ３１の前端の上部としたことで、回転規制手段１１０の前後方向の長さを小さくできる。また、回転規制手段１１０を薄板とし、その厚み寸法は、トレイ３１の側板３１ｃ，３１ｄと外郭部材３３の側板との間に設けられる左右方向の隙間Ｓよりも小さい。また、側板３１ｃ，３１ｄは、互いが下端から上端にかけて広がるように傾斜が形成されるため、隙間Ｓの左右方向の寸法は、側板３１ｃ，３１ｄの上端側よりも下端側の方が大きい。
【００４０】
このように、本実施の形態では、扉体３２とトレイ３１とを連結するための薄板状の回転規制手段１１０を、トレイ３１の外側面と外郭部材３３の内側面との間に生じる隙間Ｓに配することで、簡易且つ省スペースな構成にできる。従って、特許文献２に示す構成（外郭部材の外側面に回転規制手段を取り付ける構成）と比較して、外郭部材３３の外側面に構造部品を設ける必要がないため、外郭部材３３の左右方向の寸法を大きくでき、内容積を大きくすることができる。
【００４１】
図４は、トレイ３１及び扉体３２を取り外した状態の外郭部材３３を示す斜視図である。外郭部材３３は前方が開口しており、その周囲に開口縁３３ａが形成される。開口縁３３ａは、上下方向の上側に設けられた鉛直部３３ａ１と、その鉛直部よりも手前側に向かって傾斜する傾斜部３３ａ２とを有する。
【００４２】
外郭部材３３の底面の左右夫々にレール部１００が突出して形成される。このレール部１００は、前後方向に延びた第一レール部１００ａと、この第一レール部１００ａより外側に平行して配され且つ第一レール部１００ａより前後方向に短く延びた第二レール部１００ｂとからなる。
【００４３】
第一レール部１００ａは、その前後方向の中央付近に第一の傾斜部１００ａ１を有するとともに、後端に第二の傾斜部１００ａ２を有する。また、第一の傾斜部１００ａ１と第二の傾斜部１００ａとの間に平面部１００ａ３を有する（図６参照）。このとき、第一の傾斜部１００ａ１の方が第二の傾斜部１００ａ２よりもきつい傾斜角度とした。
【００４４】
図５は、トレイ３１を下方から見た状態を示す斜視図である。
【００４５】
トレイ３１の下面３１ｆの左右夫々に凸部１０１が突出して形成される。この凸部１０１は、トレイ３１の後端側に配された第一凸部１０１ａと、その第一凸部１０１ａの左右方向の外側で前後方向に延びて形成される第二凸部１０１ｂと、その第二凸部１０１ｂよりも外側で平行して前後方向に延びる第三凸部１０１ｃからなる。
【００４６】
外郭部材３３内にトレイ３１を収納した状態（図２及び図３に示す状態）において、第一凸部１０１ａは、第一レール部１００ａの上部を前後方向に移動可能に配される。この第一凸部１０１ａは、前後方向の長さを短く、好ましくは先細りの凸形状や円弧形状等とすることで第一レール部１００ａとの接触面積を減らし、トレイ３１の摺動抵抗を減らすことができる。
【００４７】
第二凸部１０１ｂは、第一レール部１００ａの外側面及び第二レール部１００ｂの内側面と接するように配される。これにより、第二凸部１０１ｂの左右方向の位置ずれを抑制でき、トレイ３１を安定して前後方向に移動させることができる。
【００４８】
また、第三凸部１０１ｃは、第二レール部１００ｂの上部を前後方向に移動可能に設けられる。また、第三凸部１０１ｃの前端及び後端の夫々に傾斜部１０１ｃ１，１０１ｃ２が形成されている。傾斜部１０１ｃ１の傾斜を緩やかにすることで、トレイ３１を前方に引き出すとき、第三凸部１０１ｃ１が第二レール部１００ｂをスムーズに乗り上げることができる。
【００４９】
＜トレイ３１の開放時から収納時の動作の説明＞
図６（ａ）〜図６（ｄ）は、図２のＡ−Ａ断面図である。これらを用いて、トレイ３１が引き出された状態から、外郭部材３３内に収納された状態にするときの一連の動作を説明する。
【００５０】
図６（ａ）は、トレイ３１が手前側に引き出された状態を示す。第一レール部１００ａの上部には、複数の傾斜部１００ａ１，１００ａ２及びこれらの間に位置する平面部１００ａ３が形成される。トレイ３１を手前側に引き出すと、外郭部材３３の底面に形成された第一傾斜部１００ａ１と、トレイ３１の下面に形成された第一凸部１０１ａとが当接する。即ち、この当接した位置よりも手前側にトレイ３１が引き出されないように規制される。
【００５１】
また、第一傾斜部１００ａ１及び第一凸部１０１ａが当接した状態のとき、回転規制手段１１０で支持された扉体３２は前方に倒すことができる（約４５度）。この前傾状態の扉体３２の上端は、開放状態の扉６ａ，６ｂやポケット部に接触しない位置とすることが望ましい。
【００５２】
尚、取っ手３２ｃ内の後面３２ｃ１は、扉体３２の後端３２ｇよりも手前側に位置する。即ち、取っ手３２は、扉体３２を閉じたときに外郭部材３３の前面開口部よりも後側に突出させない構成とした。これにより、扉体３２の前後方向の厚み寸法の増加を抑え、チルド室３０の内容積を確保できる。また、扉体３２の裏面をフラットな面形状にでき、食品の出し入れがし易くなる。
【００５３】
図６（ｂ）は、トレイ３１を、図６（ａ）の位置よりも後方に移動させた状態を示す。使用者が取っ手３２ｃを持って、トレイ３１を後方に移動させる際、回転規制手段１１０により支持された扉体３２を、鉛直位置より後方に倒した状態にできる。
【００５４】
トレイ３１の後方への移動に伴い、第一凸部１０１ａは平面部１００ａ３上、第三凸部１０１ｃは第三レール部１００ｂ上を移動する。
【００５５】
図６（ｃ）は、トレイ３１を、図６（ｂ）の位置より更に後方に移動させた状態を示す。扉体３２の角度を鉛直位置より後方に倒した状態のまま、後方に移動させると、扉体３２の裏面側の上端と外郭部材３３の開口縁３３ａとが最初に当接する。
【００５６】
このとき、第一凸部１０１ａは、第二傾斜部１００ａ２上の前端側（平面部１００ａ３側）に位置し、トレイ３１を後方に引き込む力が作用する。
【００５７】
また、扉体３２の軸部３２ｂ１，３２ｂ２の位置は、扉体３２の下端側であるとともに、前後方向の中心よりも前側に設けられる。
【００５８】
ここで、扉体３２の重心位置は、扉体３２の上下方向の上側で且つ、軸部３２ｂの取付位置よりも前後方向の後側とした。これにより、扉体３２の傾きが鉛直位置のとき、扉体３２は重心の方向、即ち、後側に自重で傾く力が作用する。
【００５９】
図６（ｄ）は、トレイ３１が外郭部材３３内に収納され、扉体３２が閉鎖された状態を示す。
【００６０】
第一凸部１０１ａが第二傾斜部１００ａ２の前端側に位置するとき、第一凸部１０１ａは、第二傾斜部１００ａ２の前端から後端に向かって下る斜面に沿って引き込まれるように案内される（落し込み構造）。また、扉体３２の裏面側の下端が外郭部材３３の開口縁３３ａと当接し、外郭部材３３の内部を略密閉の状態にできる。
【００６１】
このように、扉体３２は、その傾きが鉛直位置であって開口縁３３ａと接触した状態において、鉛直位置で止まるように回転規制手段１１０により支持されるとともに、扉体３２の重心位置により後側へ傾く力が作用する。さらに、トレイ３１は、第一凸部１０１ａ及び第二傾斜部１００ａ２からなる落し込み構造により、トレイ３１を後方に引き込む力が作用する。
【００６２】
以上のように、下方の回転軸を中心に扉体３２を鉛直位置よりも後方に傾けた状態で、トレイ３１を後方に移動させたとき、先ず、扉体３２の上端が外郭部材３３の開口縁３３ａに当接する。このとき、扉体３２の前後方向の後側にかかる重心により自重で後側に傾く力と、トレイ３１の下面と外郭部材３３の底面とに設けられた落し込み構造によってトレイ３１が後方に引き込まれる力と、が加わることで、扉体３２の下端も開口縁３３ａと当接する。
【００６３】
これにより、扉体３２の閉め忘れによる隙間の発生を抑制したり、チルド室３０内の密閉性を高めることが可能となる。
【００６４】
（第２実施形態）
図７（ａ）〜図７（ｃ）は、図２のＡ−Ａ段面図である。これらを用いて、トレイ３１が引き出された状態から、外郭部材３３内に収納された状態にするときの一連の動作の、別の実施の形態を説明する。
【００６５】
図７（ａ）は、トレイ３１が手前側に引き出された状態を示す。図６（ａ）と同じ構成のため、説明は省略する。
【００６６】
図７（ｂ）は、トレイ３１を後方に移動させた状態を示す。扉体３２を図７（ａ）と同じ約４５度の前傾姿勢のままで、トレイ３１を後方に移動させ、扉体３２の裏面の下端と開口縁３３ａとが初めに当接する。このとき、第一凸部１０１ａは、第二傾斜部１００ａ２上の前端側（平面部１００ａ３側）に位置し、トレイ３１を後方に引き込む力が作用しているが、扉体３２の下端側が開口縁３３ａと当接しているため、引き込まれない。
【００６７】
尚、扉体３２の下端側と開口縁３３ａとが当接した状態において、使用者が取っ手３２ｃを持ち、扉体３２を後方に傾けることで、扉体３２が閉鎖される。
【００６８】
図７（ｃ）は、トレイ３１が外郭部材３３内に収納され、扉体３２が閉鎖された状態を示す。扉体３２の下端側と開口縁３３ａとが当接した状態（図７（ｂ）に示す）において、使用者が取っ手３２ｃを持って扉体３２を鉛直位置付近まで傾けたとき、回転規制手段１１０の規制片１１０ｂにより摺動抵抗が加わり、鉛直位置で静止することができる。
【００６９】
以上のように、扉体３２は前後方向の後方に重心位置があるため、鉛直位置のとき後方に自重で傾く力がかかり、扉体３２の上端を確実に開口縁３３ａと当接できる。更に、トレイ３１の第一凸部１０１ａ及び外郭部材３３の第二傾斜部１００ａ２からなる落し込み構造によって、トレイ３１が後方に引き込まれる力がかかり、扉体３２の下端を確実に開口縁３３ａと当接できる。
【００７０】
これにより、扉体３２の閉め忘れによる隙間の発生を抑制したり、チルド室３０内の密閉性を高めることが可能となる。
【００７１】
＜白金触媒の説明＞
また、図示はないが、外郭部材３３の天井面に、白金触媒（プラチナ触媒）載置するための収納凹部（図示せず）が形成されていてもよい。この収納凹部は、左右方向の略中央、かつ、前後方向の略中央に形成されている。
【００７２】
白金触媒は、光触媒と異なり、ＬＥＤなどの光が無くても、空間内の空気に含まれるエチレンやトリメチルアミンを分解する触媒である。白金触媒によってエチレンが分解されることで、二酸化炭素および水蒸気が発生する。また、白金触媒はペレット状であり、袋に詰められた状態で構成されている。なお、触媒としては、白金触媒に限定されるものではなく、他の遷移金属触媒を用いてもよい。その遷移金属触媒としては、細孔を有するシリカ（メソポーラスシリカ）を用いることができ、この細孔の内部に白金やルテニウムなどの遷移金属の微粒子が担持されたものを適用できる。
【００７３】
トレイ３１内に置かれた食品から発生したエチレンガスは、白金触媒と接触することで分解され、二酸化炭素が発生する。また、白金触媒は、外郭部材３３の天井部の中央に設けられているので、発生した二酸化炭素は、チルド室３０内に充満する。これにより、トレイ３１に貯蔵された食品の気孔が閉じられて食品の呼吸が抑制され、呼吸による栄養成分の減少や乾燥が抑えられるので、野菜の鮮度が長時間維持される。
【００７４】
また、トレイ３１に貯蔵された食品の表面に存在する水に、二酸化炭素が溶解すると、食品の表面は酸性になる。しかし、水に溶解したときにアルカリ性を示すトリメチルアミンが発生すると、トリメチルアミンも食品表面に存在する水に溶解するため、二酸化炭素の溶解により酸性化した食品表面が中和されてしまう。しかし、冷蔵庫１では、白金触媒によってトリメチルアミンが分解されることで、トレイ３１内の食品の表面は酸性となり、食品表面の微生物の増殖が抑制される。
【００７５】
また、白金触媒は、外郭部材３３の天井部ではなく、例えば、トレイ３１の後壁３１ｂや側板３１ｃ，３１ｄ等に設けてもよい。
【００７６】
このように、チルド室３０内に白金触媒を設けることで、食品の鮮度を長持ちさせることができ、また、臭いの成分も分解することができる。
【００７７】
なお、本発明は前記した実施形態に限定されるものではなく、様々な変形例が含まれる。例えば、前記した実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００７８】
１      冷蔵庫
２      冷蔵室
６      冷蔵室扉
１２    内箱
３０    チルド室（貯蔵室）
３１    トレイ
３１ａ  前板
３１ｂ  後板
３１ｃ，３１ｄ  側板
３１ｅ  底面
３１ｆ  下面
３２    扉体
３２ａ  本体
３２ｂ１，３２ｂ２  軸部
３２ｃ  取っ手
３２ｄ  板部
３２ｅ  枠部
３２ｆ  内側面
３２ｇ  後端
３３    外郭部材
３３ａ  開口縁
１００ａ  第一レール部
１００ａ１  第一傾斜部
１００ａ２  第二傾斜部
１００ａ３  平面部
１００ｂ  第二レール部
１０１  凸部
１０１ａ  第一凸部
１０１ｂ  第二凸部
１０１ｃ  第三凸部
１１０  回転規制手段
１１０ａ  回転規制部
１１０ｂ  規制片
ｋ１    断熱仕切壁（仕切壁）
【図１】
2020118344.tif 000003
【図２】
2020118344.tif 000004
【図３】
2020118344.tif 000005
【図４】
2020118344.tif 000006
【図５】
2020118344.tif 000007
【図６】
2020118344.tif 000008
【図７】
2020118344.tif 000009